(57)【特許請求の範囲】
【請求項１】
底面に塵埃を吸引するための横長の開口を有する本体ケースに、回転ロータを前記開口の近傍に備えた掃除機用床ノズルにおいて、前記回転ロータはロータ及び清掃体からなり、前記ロータは外周に開口する軸芯方向に平行な複数の溝部を有し、前記清掃体は複数の分割された基部と、該複数の分割された基部と連通する清掃片より形成されると共に、前記複数の分割された基部の各々を、前記ロータの互いに隣接する溝部に装着する事により、前記清掃片が前記ロータの軸の周りに所定の角度捩りを加えた位置に連続的に形成されることを特徴とする掃除機用床ノズルの回転ロータ。
【発明の詳細な説明】
【０００１】
【発明の属する技術分野】
本発明は、掃除機のアタッチメントとして使用される床ノズルに内蔵される回転ロータに関するものである。
【０００２】
【従来の技術】
図６に従来の回転ロータを示す。図において、５１は回転ロータで回転ロータを構成するロータ５２を金属製の円柱状とし、その外周に開口する複数の支持溝５３に清掃体５４を挿入固定し、ロータ５２を軸の周りに捩りを加えて清掃体５４を螺旋状とし、ロータ５２の両端部に各々従動プーリ５５及び軸５６を一体に有する従動側ブラケット５７、軸５６を一体に有する遊び側ブラケット５８を固着し、さらにその外側にはワッシャ５９を介して軸受け６０を圧入保持した軸受けホルダー６１が取り付けられ、回転自在に軸支された状態に組み立てられている。
【０００３】
このように構成した従来の掃除機用床ノズルの回転ロータ５１を回転させると清掃体５４が床面を擦り、床面にある塵埃をかき上げて、清掃効果を発揮するものである。
【０００４】
【発明が解決しようとする課題】
しかしながら、上記のように構成した掃除機用床ノズルの回転ロータ５１によれば、回転ロータ５１は、ロータ５２を金属製の円柱状とし、その外周に開口する複数の支持溝５３に清掃体５４を挿入固定し、ロータ５２を軸の周りに捩りを加えて清掃体５４を螺旋状としている。そのため、ロータ５２は、その外周に開口する複数の支持溝５３を有する金属製の円柱状に加工後、捩りを加える加工を必要としている。したがって、ロータ５２は、加工が複雑であり、かつ回転時の心振れ等の加工精度が良くないという課題を有していた。
【０００５】
本発明は、上記のような問題を解決するためになされたもので、回転ロータの加工を簡単にし、かつ回転時の芯振れ等の加工精度を向上させることのできる回転ロータを提供することを目的としている。
【０００６】
【課題を解決するための手段】
本発明にかかる掃除機用床ノズルの回転ロータは、次のように構成したものである。
（１）底面に塵埃を吸引するための横長の開口を有する本体ケースに、回転ロータを前記開口の近傍に備えた掃除機用床ノズルにおいて、前記回転ロータはロータ及び清掃体からなり、前記ロータは外周に開口する軸芯方向に平行な複数の溝部を有し、前記清掃体は複数の分割された基部と、該複数の分割された基部と連通する清掃片より形成されると共に、前記複数の分割された基部の各々を、前記ロータの互いに隣接する溝部に装着する事により、前記清掃片が前記ロータの軸の周りに所定の角度捩りを加えた位置に連続的に形成されたものである。
【０００７】
【発明の実施の形態】
実施の形態１
図１から図４に実施の形態１を示す。図１は本発明の回転ロータの斜視図である。図１において、１は回転ロータ、２はロータ、３は清掃体、９は溝部である。図２は清掃体をロータに装着した状態の斜視図である。図２において、４、１４、２４は基部、５は清掃片である。図３は清掃体をロータに装着した状態の正面図である。図４は清掃体の平面図である。図４において、６はスリット、７は丸穴である。本発明の回転ロータは図１の如く、ロータ２、清掃体３より構成されてある。ロータ２は、円柱形状であり、外周部には、円周方向４等分の位置に軸芯方向に平行な溝部９が開口されてある。清掃体３は図４の如く、概長方形状に形成されてあり、一方に清掃片５を有すると共に、他方に複数の基部４、１４、２４を有している。基部４、１４及び、基部１４、２４の間には、両端に丸穴７を有する概Ｔ字形状のスリット６が形成されてあり、スリット６により、互いの基部は分割されてある。
【０００８】
次に、図２及び図３により、１本の清掃体の装着状態を説明する。清掃体３は図２及び図３の如く、ロータ２の外周部に形成されてある溝部９にたいして、基部４、１４、２４が、互いに隣接する溝部９に装着されてある。清掃体３は、スリット６により、互いの基部が分割されてあると共に、一方に清掃片５を有する為、ロータ２の外周部には、軸の周りに所定の角度捩りを加えた位置にたいして、連続的に清掃片５が形成される。また、円周方向４等分の位置に形成された溝部９にたいして、４本の清掃体３を、基部４、１４、２４が、互いに隣接する溝部９に装着した時には、図１の如く、ロータ２の外周部に、軸の周りに所定の角度捩りを加えた位置にたいして、連続的に形成された清掃片５を有する４本の清掃体３と、ロータ２よりなる回転ロータ１が形成される。
【０００９】
実施の形態１の回転ロータは、上記の如く構成されてある為、ロータを、軸の周りに所定の角度捩りを加える必要が無いので、ロータの加工を簡単、かつ安価にする事ができる。また、ロータに捩りを加えていない為、回転ロータの、回転時の芯振れ等の精度を向上できる。さらにまた、スリットの両端に丸穴が形成されてある為、回転時に清掃体３が破れる等の破損が無い。
【００１０】
また、図５に実施の形態１の他の実施例を示す。図５は実施の形態１の他の実施例を示す清掃体の正面図である。図５において、８はブラシ、１３は清掃体、１６はスリット、１７は丸穴である。清掃体１３は、図５の如く、概長方形状に形成されてあり、一方にブラシ８を有すると共に、他方に複数の基部４、１４、２４を有している。基部４、１４及び、基部１４、２４の間には、両端に丸穴１７を有する概Ｔ字形状のスリット１６が形成されてあり、スリット１６により、互いの基部は分割されてある。
【００１１】
実施の形態１の他の実施例の清掃体は、上記の如く構成されてある為、清掃体の一方に形成されたブラシが、床面の塵埃等をかき上げて、清掃効果を発揮する。
【００１２】
なお、本発明の回転ロータは、清掃体の基部を分割する為に、概Ｔ字形状のスリットが使用されてあるが、スリットの形状等については、目的に応じて適時、最適な形状を設定しても、何ら支障は無い。また、清掃体の基部の個数や、基部を装着する溝部の位置についても、目的に応じて、例えばロータの外周部に、軸の周りに所定の角度捩りを加えた位置に、Ｖ字形状に清掃片が形成されるように装着する位置を適時、設定しても、何ら支障は無い。
【００１３】
【発明の効果】
以上の説明から明らかなように、本発明の掃除機用床ノズルは次に示すような効果を得ることができる。
【００１４】
ロータを、軸の周りに所定の角度捩りを加える必要が無いので、ロータの加工を簡単、かつ安価にする事ができる。また、ロータに捩りを加えていない為、回転ロータの、回転時の芯振れ等の精度を向上できる。さらにまた、スリットの両端に丸穴が形成されてある為、回転時に清掃体３が破れる等の破損が無い。また一方にブラシを有する清掃体を使用した時の回転ロータは、清掃体の一方に形成されたブラシが、床面の塵埃等をかき上げて、清掃効果を発揮する。
【図面の詳細な説明】
【図１】  実施の形態１の回転ロータの斜視図である。
【図２】  実施の形態１の清掃体をロータに装着した状態の斜視図である。
【図３】  実施の形態１の清掃体をロータに装着した状態の正面図である。
【図４】  実施の形態１の清掃体の平面図である。
【図５】  実施の形態１の他の実施例を示す清掃体の正面図である。
【図６】  従来の回転ロータの断面図である。
【符号の説明】
１、１１  回転ロータ  ２  ロータ  ３、１３、５４  清掃体
４、１４、２４  基部  ５  清掃片  ６、１６  スリット
７、１７  丸穴  ８  ブラシ  ９  溝部  ４６  内周部
４７  外周部  ５３  支持溝  ５５  従動プーリ  ５６  軸
５７  従動側ブラケット  ５８  遊び側ブラケット
５９  ワッシャ  ６０  軸受け  ６１  軸受けホルダー
【図１】
0004629927.tif 000002
【図２】
0004629927.tif 000003
【図３】
0004629927.tif 000004
【図４】
0004629927.tif 000005
【図５】
0004629927.tif 000006
【図６】
0004629927.tif 000007